(57)【要約】【課題】  静止画／動画共通の撮影待ち受け状態から静止画撮影と動画撮影の切替えをシームレスに行うことができると共に撮影開始時に好適な撮影アングルをとり得る、撮像装置、撮影切替方法、及びプログラムの提供。【解決手段】  デジタルカメラ１００は、電源投入後直ちに静止画／動画共通の撮影待ち受け状態からなる撮影モードに移行する（ブロックＡ）。ブロックＡの撮影モードでユーザがシャッターキーを半押しすると静止画用に撮影状態を最適化し、シャッターキーを全押しすることにより静止画撮影（ブロックＢ）に移行する。また、ユーザがムービーシャッターキーを半押しすると動画用に撮影状態を最適化し、ムービーシャッターキーを全押しすると動画撮影（ブロックＣ）に移行する。【選択図】  図４
2005191837.tif 000002
【特許請求の範囲】
【請求項１】
被写体を静止画撮影又は動画撮影してその画像データを生成し、該画像データを保存メモリに記録する撮像装置であって、
電源投入後、直ちに撮影待ち受け画面を表示する待ち受け画面表示手段と、被写体像を取り込んで画像データを生成する撮像手段と、
前記撮影待ち受け画面の表示中に静止画撮影指示手段による静止画撮影準備指示がなされると静止画用の撮影状態の最適化を行なう静止画撮影状態最適化手段と、前記静止画撮影状態の最適化後に前記静止画撮影指示手段による静止画撮影指示がなされると静止画撮影を行う静止画撮影手段と、
前記撮影待ち受け画面の表示中に動画撮影指示手段による動画撮影準備指示がなされると動画用の撮影状態の最適化を行なう動画撮影状態最適化手段と、前記動画撮影状態の最適化後に前記動画撮影指示手段による動画撮開始指示がなされると動画撮影を開始する動画撮影開始手段と、
を備えたことを特徴とする撮像装置。
【請求項２】
被写体を静止画撮影又は動画撮影してその画像データを生成し、該画像データを保存メモリに記録する撮像装置であって、
電源投入後、直ちに撮影待ち受け画面を表示する待ち受け画面表示手段と、被写体像を取り込んで画像データを生成する撮像手段と、
前記撮影待ち受け画面の表示中に静止画撮影指示手段による静止画撮影準備指示がなされると、静止画向きの表示情報を前記撮影待ち受け画面に重畳表示する静止画表示情報表示手段及び静止画用の撮影状態の最適化を行なう静止画撮影状態最適化手段と、前記静止画撮影状態の最適化後に前記静止画撮影指示手段による静止画撮影指示がなされると静止画撮影を行う静止画撮影手段と、
前記撮影待ち受け画面の表示中に動画撮影指示手段による動画撮影準備指示がなされると動画向きの表示情報を重畳表示する動画表示情報表示手段及び動画用の撮影状態の最適化を行なう動画撮影状態最適化手段と、前記動画撮影状態の最適化後に前記動画撮影指示手段による動画撮開始指示がなされると動画撮影を開始する動画撮影開始手段と、
を備えたことを特徴とする撮像装置。
【請求項３】
被写体を静止画撮影又は動画撮影してその画像データを生成し、該画像データを保存メモリに記録する撮像装置であって、
電源投入後、直ちに撮影待ち受け画面を表示する待ち受け画面表示手段と、被写体像を取り込んで画像データを生成する撮像手段と、
前記撮影待ち受け画面の表示中に表示切替え指示手段による静止画用表示切替指示がなされると静止画向きの表示情報を前記撮影待ち受け画面に重畳表示する静止画表示情報表示手段と、静止画撮影指示手段による静止画撮影準備指示がなされると静止画用の撮影状態の最適化を行なう静止画撮影状態最適化手段と、前記静止画撮影状態の最適化後に前記静止画撮影指示手段による静止画撮影指示がなされると静止画撮影を行なう静止画撮影手段と、
前記撮影待ち受け画面の表示中に表示切替え指示手段による動画用表示切替指示がなされると動画向きの表示情報を前記撮影待ち受け画面に重畳表示する動画表示情報表示手段と、動画撮影指示手段による動画撮影準備指示がなされると動画用の撮影状態の最適化を行なう動画撮影状態最適化手段と、前記動画撮影状態の最適化後に前記動画撮影指示手段による動画撮開始指示がなされると動画撮影を開始する動画撮影開始手段と、
を備えたことを特徴とする撮像装置。
【請求項４】
前記待ち受け画面表示手段は、撮影待ち受け画面に静止画及び動画に共通な表示情報を表示することを特徴とする請求項１乃至３のいずれか１項に記載の撮像装置。
【請求項５】
前記静止画撮影指示手段はシャッターキーからなり、前記静止画撮影準備指示はシャッターキーの半押しをトリガとし、前記静止画撮影指示はシャッターキーの全押しをトリガとし、前記動画撮影指示手段はムービーシャッターキーからなり、前記動画撮影準備指示はムービーシャッターの半押しをトリガとし、前記動画撮影開始指示はムービーシャッターキーの全押しをトリガとすることを特徴とする請求項１乃至３のいずれか１項に記載の撮像装置。
【請求項６】
被写体を静止画撮影又は動画撮影してその画像データを生成し、該画像データを保存メモリに記録する撮像装置であって、
静止画撮影準備指示を発する第１の位置と静止画撮影指示を発する第２の位置を有するシャッターキーと、動画撮影準備指示を発する第１の位置と動画撮影指示を発する第２の位置を有するムービーシャッターキーと、を備えたことを特徴とする撮像装置。
【請求項７】
被写体を撮影してその画像データを生成し、該画像データを保存メモリに記録する撮像装置の撮影切替方法において、
電源投入後、直ちに撮影待ち受け状態に移行して撮影待ち受け画面を表示し、
前記撮影待ち受け状態において、静止画撮影準備指示を検出すると静止画用の撮影状態の最適化を行ない、静止画用の撮影状態の最適化後に静止画撮影指示を検出すると静止画撮影を行ない、
前記撮影待ち受け状態において、動画撮影準備指示を検出すると動画用の撮影状態の最適化を行ない、動画用の撮影状態の最適化後に動画撮影開始指示を検出すると動画撮影を開始する、
ことを特徴とする撮影切替方法。
【請求項８】
被写体を静止画撮影又は動画撮影してその画像データを生成し、該画像データを保存メモリに記録する撮像装置の撮影切替方法において、
電源投入後、直ちに撮影待ち受け状態に移行して撮影待ち受け画面を表示し、
前記撮影待ち受け状態において、静止画撮影準備指示を検出すると静止画撮影待ち受け状態に移行して静止画向きの表示情報を前記撮影待ち受け画面に重畳表示すると共に静止画用の撮影状態の最適化を行ない、静止画用の撮影状態の最適化後に静止画撮影指示を検出すると静止画撮影を行ない、
前記撮影待ち受け状態において、動画撮影準備指示を検出すると動画撮影待ち受け状態に移行して動画向きの表示情報を前記撮影待ち受け画面に重畳表示すると共に、動画用の撮影状態の最適化を行ない、動画用の撮影状態の最適化後に動画撮影開始指示を検出すると動画撮影を開始する、
ことを特徴とする撮影切替方法。
【請求項９】
被写体を静止画撮影又は動画撮影してその画像データを生成し、該画像データを保存メモリに記録する撮像装置の撮影切替方法において、
電源投入後、直ちに撮影待ち受け状態に移行して撮影待ち受け画面を表示し、
前記撮影待ち受け状態において、静止画用表示切替指示を検出すると静止画撮影待ち受け状態に移行して静止画向きの表示情報を前記撮影待ち受け画面に重畳表示し、静止画撮影準備指示を検出すると静止画用の撮影状態の最適化を行ない、静止画用の撮影状態の最適化後に静止画撮影指示を検出すると静止画撮影を行ない、
前記撮影待ち受け状態において、動画用表示切替指示を検出すると動画撮影待ち受け状態に移行して動画向きの表示情報を前記撮影待ち受け画面に重畳表示し、動画撮影準備指示を検出すると動画用の撮影状態の最適化を行ない、動画用の撮影状態の最適化後に動画撮影開始指示を検出すると動画撮影を開始する、
ことを特徴とする撮影切替方法。
【請求項１０】
前記静止画撮影準備指示はシャッターキーの半押しをトリガとし、前記静止画撮影指示はシャッターキーの全押しをトリガとし、前記動画撮影準備指示はムービーシャッターキーの半押しをトリガとし、前記動画撮開始指示はムービーシャッターキーの全押しをトリガとする、ことを特徴とする請求項７乃至９のいずれか１項に記載の撮影切替方法。
【請求項１１】
前記電源投入後の撮影待ち受け状態において、静止画／動画に共通な表示情報を表示することを特徴とする請求項７乃至９のいずれか１項に記載の撮影切替方法。
【請求項１２】
被写体を静止画撮影又は動画撮影してその画像データを生成し、該画像データを保存メモリに記録する撮像装置において実行可能なプログラムであって、
電源投入後、直ちに撮影待ち受け画面を表示させるプログラムステップと、被写体像を取り込んで生成された画像データからスルー画像データを生成させるプログラムステップと、生成されたスルー画像を前記撮影待ち受け画面に表示させるプログラムステップと、
前記スルー画像を表示した撮影待ち受け画面の表示中になされる静止画撮影準備指示を検出させるプログラムステップと、静止画撮影準備指示が検出されると静止画用の撮影状態の最適化を行なわせるプログラムステップと、前記静止画撮影状態の最適化後に静止画撮影指示を検出させるプログラムステップと、静止画撮影指示を検出すると静止画撮影を行わせるプログラムステップと、
前記スルー画像を表示した撮影待ち受け画面の表示中になされる動画撮影準備指示を検出させるプログラムステップと、画撮影準備指示が検出されると動画用の撮影状態の最適化を行なわせるプログラムステップと、前記動画撮影状態の最適化後に動画撮影開始指示を検出させるプログラムステップと、動画撮影指示を検出すると動画撮影を開始させるプログラムステップと、
を備えたことを特徴とするプログラム。
【請求項１３】
被写体を静止画撮影又は動画撮影してその画像データを生成し、該画像データを保存メモリに記録する撮像装置において実行可能なプログラムであって、
電源投入後、直ちに撮影待ち受け画面を表示させるプログラムステップと、被写体像を取り込んで生成された画像データからスルー画像データを生成させるプログラムステップと、生成されたスルー画像を前記撮影待ち受け画面に表示させるプログラムステップと、
前記スルー画像を表示した撮影待ち受け画面の表示中になされる静止画撮影準備指示を検出させるプログラムステップと、静止画撮影準備指示が検出されると静止画向きの表示情報を前記スルー画像を表示した撮影待ち受け画面に重畳表示させるプログラムステップ及び静止画用の撮影状態の最適化を行なわせるプログラムステップと、前記静止画撮影状態の最適化後に静止画撮影指示を検出させるプログラムステップと、静止画撮影指示を検出すると静止画撮影を行わせるプログラムステップと、
前記スルー画像を表示した撮影待ち受け画面の表示中になされる動画撮影準備指示を検出させるプログラムステップと、動画撮影準備指示が検出されると動画向きの表示情報をスルー画像に重畳表示させるプログラムステップ及び動画用の撮影状態の最適化を行なわせるプログラムステップと、前記動画撮影状態の最適化後に動画撮影開始指示を検出させるプログラムステップと、動画撮影指示を検出すると動画撮影を開始させるプログラムステップと、
を備えたことを特徴とするプログラム。
【請求項１４】
被写体を静止画撮影又は動画撮影してその画像データを生成し、該画像データを保存メモリに記録する撮像装置において実行可能なプログラムであって、
電源投入後、直ちに撮影待ち受け画面を表示させるプログラムステップと、被写体像を取り込んで生成された画像データからスルー画像データを生成させるプログラムステップと、生成されたスルー画像を前記撮影待ち受け画面に表示させるプログラムステップと、
前記スルー画像を表示した撮影待ち受け画面の表示中になされる静止画用表示切替え指示を検出するプログラムステップと、静止画用表示切替指示が検出されると静止画向きの表示情報を前記スルー画像を表示した撮影待ち受け画面に重畳表示させるプログラムステップと、更に、静止画撮影準備指示を検出するプログラムステップと、静止画撮影準備指示が検出されると静止画用の撮影状態の最適化を行なわせるプログラムステップと、静止画撮影指示を検出するプログラムステップと、前記静止画撮影状態の最適化後に静止画撮影指示が検出されると静止画撮影を行なわせるプログラムステップと、
前記スルー画像を表示した撮影待ち受け画面の表示中になされる動画用表示切替え指示を検出するプログラムステップと、動画用表示切替指示がなされると動画向きの表示情報を前記スルー画像を表示した撮影待ち受け画面に重畳表示させるプログラムステップと、更に、動画撮影準備指示を検出するプログラムステップと、動画撮影準備指示が検出されると静止画用の撮影状態の最適化を行なわせるプログラムステップと、前記動画撮影状態の最適化後に動画撮影開始指示を検出させるプログラムステップと、動画撮影指示を検出すると動画撮影を開始させるプログラムステップと、
を備えたことを特徴とするプログラム。
【発明の詳細な説明】
【技術分野】
【０００１】
本発明は、デジタルカメラ等の撮像装置で静止画撮影モード、動画撮影モードといったモード切替えによるのではなくシームレスに静止画撮影と動画撮影を切り替えることのできる撮像装置、撮影切替方法、及びプログラムに関する。
【背景技術】
【０００２】
静止画撮影機能と動画撮影機能を備えたカメラでは、従来、静止画撮影モードと動画撮影モードを切り替えてから各撮影モードにおいてシャッターキーや録画開始ボタンを押して静止画撮影、又は動画撮影を行っているが、いつでもすぐに、レリーズボタンを押して静止画又は動画をシームレスに撮影したいというニーズがある。
【０００３】
ここで、静止画撮影機能と動画撮影機能を備えた電子カメラで、動画撮影中に静止画撮影指示が出されると、静止画を一旦バッファに一時記憶し、動画を記録した後に静止画を記録するようにした電子カメラ（例えば、特許文献１参照）がある。
【０００４】
また、簡易に静止画撮影モードと動画撮影モードを切り替えるものとして、シャッターキーを押し続けると動画撮影モードになる電子カメラ（例えば、特許文献２）がある。
【０００５】
また、静止画撮影機能と動画撮影機能を備えたビデオカメラとして、動画の撮影中に静止画撮影指示が出されると動画中の静止画撮影指示時点の画像（静止画）に識別情報を付加し、動画の再生中に静止画識別情報が付された静止画のみを順次再生させる制御を行うようにした電子カメラ（例えば、特許文献３参照）や、動画の撮影中に静止画撮影指示が出されると動画撮影中の静止画撮影指示時点の画像（静止画）に識別情報を付加し、動画中から切出して新たな静止画として追加記録するものがある（例えば、特許文献４参照）。
【０００６】
また、静止画／動画共通の撮影待ち受け状態から、シャッターキーを半押しすると直ちに静止画用に撮影状態を最適化し、シャッターキーを全押しすることにより静止画撮影を行い、ムービーシャッターキーを押すと直ちに動画用に撮影状態を最適化して動画撮影を開始することにより、静止画撮影と動画撮影の切替えをシームレスに行うことができる撮影モード切替方法が提案されている（特許文献５参照）。
【０００７】
【特許文献１】特開平１０−１０８１２１号公報
【特許文献２】特願２００２−１２５５６６号
【特許文献３】特開２０００−２９５５６８号公報
【特許文献４】特開２０００−３２４４３３号公報
【特許文献５】特願２００３−３０６７５３号
【発明の開示】
【発明が解決しようとする課題】
【０００８】
静止画撮影モード、動画撮影モードといったようにモード切替えを予め行わなくてもスルー画像表示状態で簡単なキー操作で静止画撮影や動画撮影が行えれば、シームレスに撮影切替えができ、撮影するまでに手間や時間がかからなくなる。また、これにより、キー操作を原因とする、静止画撮影のシャッターチャンスや動画撮影開始タイミングの逸機を最小限にできることが期待できる。
【０００９】
上記特許文献１記載の電子カメラでは動画撮影を優先させているので動画撮影中に静止画を撮影することは簡単に行えるが、最初に静止画撮影モードに設定されている場合に動画撮影に切り替えるには切替えのためのタイムラグが生じ、動画の撮影開始タイミングがずれる可能性があるといった課題があった。
【００１０】
また、上記特許文献２記載の電子カメラではシャッターキーを押しつづけると動画撮影モードとなるので、静止画撮影モードから動画撮影モードへの切り替えはシームレスに行えるが、シャッターキーを押しつづけている間に切替えのためのタイムラグが生じ、動画の撮影開始タイミングがずれる可能性があるといった課題がある。
【００１１】
また、上記特許文献３記載の電子カメラのように動画撮影中に静止画撮影指示のあった時点に撮影された画像を静止画として再生する方法では撮影条件が動画にとって最適でも静止画にとって最適状態とはいえないので、撮影条件が適切でない静止画が再生されるといった課題があった。
【００１２】
つまり、静止画撮影にしろ動画撮影にしろ表示されるスルー画像を見て撮影指示を行うが、厳密には、静止画のためのスルー画像及び撮影条件と動画のためのスルー画像及び撮影条件が、例えば、下記（１）〜（３）のように異なるので、特許文献２記載の電子カメラのように動画撮影中の動画を静止画として再生する方法では撮影条件が静止画にとって最適状態とはいえず、撮影条件が適切でない静止画像が再生されるといった課題があった。
【００１３】
（１）ＡＦ（オートフォーカス）；  
静止画撮影ではシャッターキー半押しでＡＦ動作が開始され、全押しで撮影されるが、動画撮影ではコンティニアスＡＦで追従する点：  
（２）ズーム；  
静止画撮影ではある程度のスピードが必要であるが、動画撮影ではゆっくりズームしたい場合がある点：  
（３）絞り；  
静止画撮影ではある程度の絞りで止めるが、動画撮影では画像サイズも、例えば、３２０×２４０ピクセルといったように静止画像に比べて低いので、かなり絞れる点：
（４）情報表示；  
動画を撮影するための撮影情報と静止画を撮影するための撮影情報が異なるので、液晶モニタ上に表示される静止画スルー画像と動画スルー画像上の表示情報には相容れないものもあるので、共通待機画面だけを待機画面として用いることができない点、つまり、静止画用待機画面や動画用待機画面を必要とするという点；  
例えば、フラッシュが光る場合の静止画ホワイトバランス（ＷＢ）と、フラッシュは光らない動画撮影のＷＢは異なる。例えば、静止画は４Ｍｐｉｘのハイソリューションであるが動画はＶＧＡ（Video Graphics Array）止まりな場合が多く、「撮影するサイズ」の表示が異なる。また、夕日、夜景、スポーツなど撮影シーンに応じてシャッタースピードや露出など適切な撮影条件を予め設定した撮影サンプル画像を表示するシーンセレクト、ベストショットなどと呼ばれる撮影サンプル表示においても、静止画用と動画用では異なるものなので、そのどちらを用いて表示するかによってスルー表示が異なるし、動画とは関わりのないフラッシュ予告が共通待機画面のみを用いる場合には常に表示されてしまう点。  
上記特許文献４記載の電子カメラのように、動画の撮影中に静止画撮影指示が出されると動画撮影中の静止画撮影指示時点の画像を動画中から切出して新たな静止画として追加記録する方法では、特許文献３記載の電子カメラと同様に、撮影条件が動画にとって最適でも静止画にとって最適状態とはいえず、撮影条件が適切でない静止画像が記録されるといった課題があった。
【００１４】
また、特許文献５に記載の技術では、静止画撮影と動画撮影の切替えをシームレスに行うことができるが、動画開始ボタンを押すと直ちに動画用に撮影状態を最適化して動画撮影するので、最適化期間と動画開始期間をユーザが区別し難く、動画撮影開始の際に好適な撮影アングルになっているかどうかをユーザが判断し難いといった課題があった。
【００１５】
本発明は上記課題を解決するためになされたものであり、静止画／動画共通の撮影待ち受け状態から静止画撮影と動画撮影の切替えをシームレスに行うことができると共に撮影開始（開始）時に好適な撮影アングルをとり得る、撮像装置、撮影切替方法、及びプログラムの提供を目的とする。
【課題を解決するための手段】
【００１６】
上記課題を解決するために、請求項１に記載の発明では、被写体を静止画撮影又は動画撮影してその画像データを生成し、該画像データを保存メモリに記録する撮像装置であって、電源投入後、直ちに撮影待ち受け画面を表示する待ち受け画面表示手段と、被写体像を取り込んで画像データを生成する撮像手段と、撮影待ち受け画面の表示中に静止画撮影指示手段による静止画撮影準備指示がなされると静止画用の撮影状態の最適化を行なう静止画撮影状態最適化手段と、静止画撮影状態の最適化後に静止画撮影指示手段による静止画撮影指示がなされると静止画撮影を行う静止画撮影手段と、撮影待ち受け画面の表示中に動画撮影指示手段による動画撮影準備指示がなされると動画用の撮影状態の最適化を行なう動画撮影状態最適化手段と、動画撮影状態の最適化後に動画撮影指示手段による動画撮開始指示がなされると動画撮影を開始する動画撮影開始手段と、を備えたことを特徴とする撮像装置を提供する。  
これにより、従来のように、静止画撮影モード、動画撮影モードといったようにモード切替え操作なしに撮影待ち受け状態に移行し、簡単なキー操作によりシームレスに静止画撮影と動画撮影の切替えができるので撮影するまでに手間や時間がかからない。また、キー操作を原因とする静止画撮影のシャッターチャンスや動画撮影開始タイミングの逸機を最小限にできる。更に、撮影切替えの際、撮影状態を撮影モードに応じて最適化したのち、撮影指示を行うので良好な画像を得ることができるし、ユーザは、撮影指示前に好適な撮影アングルをとることができる。
【００１７】
また、請求項２に記載の発明では、被写体を静止画撮影又は動画撮影してその画像データを生成し、該画像データを保存メモリに記録する撮像装置であって、電源投入後、直ちに撮影待ち受け画面を表示する待ち受け画面表示手段と、被写体像を取り込んで画像データを生成する撮像手段と、撮影待ち受け画面の表示中に静止画撮影指示手段による静止画撮影準備指示がなされると、静止画向きの表示情報を撮影待ち受け画面に重畳表示する静止画表示情報表示手段及び静止画用の撮影状態の最適化を行なう静止画撮影状態最適化手段と、静止画撮影状態の最適化後に静止画撮影指示手段による静止画撮影指示がなされると静止画撮影を行う静止画撮影手段と、撮影待ち受け画面の表示中に動画撮影指示手段による動画撮影準備指示がなされると動画向きの表示情報を重畳表示する動画表示情報表示手段及び動画用の撮影状態の最適化を行なう動画撮影状態最適化手段と、動画撮影状態の最適化後に動画撮影指示手段による動画撮開始指示がなされると動画撮影を開始する動画撮影開始手段と、を備えたことを特徴とする撮像装置を提供する。  
これにより、撮影準備指示のキー操作又は動画撮影準備指示のキー操作だけでシームレスに静止画向きの表示情報を表示した撮影待ち受け状態又は動画向きの表示情報を表示した撮影待ち受け状態への切替えを行うことができるので、ユーザは静止画を撮りたいときは静止画向きの表示情報を見て静止画撮影を行うことができるし、動画を撮りたいときは動画向きの表示情報を見ることができる。また、撮影待ち受け状態の切替えと同時に静止画用または動画用に撮影状態の最適化を行い、更に、撮影切替えの際、撮影状態を撮影モードに応じて最適化したのち、撮影指示を行うのでユーザは、撮影指示前に好適な撮影アングルをとることができ、良好な画像を得ることができる。
【００１８】
また、請求項３に記載の発明では、被写体を静止画撮影又は動画撮影してその画像データを生成し、該画像データを保存メモリに記録する撮像装置であって、電源投入後、直ちに撮影待ち受け画面を表示する待ち受け画面表示手段と、被写体像を取り込んで画像データを生成する撮像手段と、撮影待ち受け画面の表示中に表示切替え指示手段による静止画用表示切替指示がなされると静止画向きの表示情報を撮影待ち受け画面に重畳表示する静止画表示情報表示手段と、静止画撮影指示手段による静止画撮影準備指示がなされると静止画用の撮影状態の最適化を行なう静止画撮影状態最適化手段と、静止画撮影状態の最適化後に静止画撮影指示手段による静止画撮影指示がなされると静止画撮影を行なう静止画撮影手段と、撮影待ち受け画面の表示中に表示切替え指示手段による動画用表示切替指示がなされると動画向きの表示情報を撮影待ち受け画面に重畳表示する動画表示情報表示手段と、動画撮影指示手段による動画撮影準備指示がなされると動画用の撮影状態の最適化を行なう動画撮影状態最適化手段と、動画撮影状態の最適化後に動画撮影指示手段による動画撮開始指示がなされると動画撮影を開始する動画撮影開始手段と、を備えたことを特徴とする撮像装置を提供する。  
これにより、シームレスに静止画向きの表示情報を表示した撮影待ち受け状態又は動画向きの表示情報を表示した撮影待ち受け状態への切替えを行うことができるので、ユーザは静止画を撮りたいときは静止画向きの表示情報を見て静止画撮影を行うことができるし、動画を撮りたいときは動画向きの表示情報を見ることができる。また、静止画撮影準備指示又は動画撮影準備開始指示と同時に静止画用または動画用に撮影状態の最適化を行い、最適化の後に撮影指示を行うのでユーザは、撮影指示前に好適な撮影アングルをとることができ、良好な画像を得ることができる。
【００１９】
また、請求項４に記載の発明では、待ち受け画面表示手段は、撮影待ち受け画面に静止画及び動画に共通な表示情報を表示することを特徴とする請求項１乃至３のいずれか１項に記載の撮像装置を提供する。  
これにより、ユーザは静止画及び動画に共通な表示情報を見てから静止画撮影又は動画撮影への切り替え操作を行うことができるので、使い勝手がよい。
【００２０】
また、請求項５に記載の発明では、静止画撮影指示手段はシャッターキーからなり、静止画撮影準備指示はシャッターキーの半押しをトリガとし、静止画撮影指示はシャッターキーの全押しをトリガとし、動画撮影指示手段はムービーシャッターキーからなり、動画撮影準備指示はムービーシャッターの半押しをトリガとし、動画撮影開始指示はムービーシャッターキーの全押しをトリガとすることを特徴とする請求項１乃至３のいずれか１項に記載の撮像装置を提供する。  
これにより、ユーザは従来のように撮影モードの切り替えを行わなくても、使い慣れたシャッターキーやムービーシャッターキーの押し下げ操作だけで動画撮影又は静止画撮影にシームレスに切り替えることができるので操作性がよい。
【００２１】
また、請求項６に記載の発明では、被写体を静止画撮影又は動画撮影してその画像データを生成し、該画像データを保存メモリに記録する撮像装置であって、静止画撮影準備指示を発する第１の位置と静止画撮影指示を発する第２の位置を有するシャッターキーと、動画撮影準備指示を発する第１の位置と動画撮影指示を発する第２の位置を有するムービーシャッターキーと、を備えたことを特徴とする撮像装置を提供する。  
これにより、ユーザは従来のように撮影モードの切り替えを行わなくても、ムービーシャッターキーの押し下げ操作だけで動画撮影指示を行うことができる。
【００２２】
また、請求項７に記載の発明では、被写体を撮影してその画像データを生成し、該画像データを保存メモリに記録する撮像装置の撮影切替方法において、電源投入後、直ちに撮影待ち受け状態に移行して撮影待ち受け画面を表示し、撮影待ち受け状態において、静止画撮影準備指示を検出すると静止画用の撮影状態の最適化を行ない、静止画用の撮影状態の最適化後に静止画撮影指示を検出すると静止画撮影を行ない、撮影待ち受け状態において、動画撮影準備指示を検出すると動画用の撮影状態の最適化を行ない、動画用の撮影状態の最適化後に動画撮影開始指示を検出すると動画撮影を開始する、ことを特徴とする撮影切替方法を提供する。  
これにより、電源投入後直ちに撮影待ち受け状態に移行し、静止画撮影又は動画撮影にシームレスに撮影切替えを行うことができるので、従来のように撮影モードの切替えの手間がなくなり、撮影するまでの時間がかからなくなる。また、撮影切替えの際、撮影状態を撮影モードに応じて最適化した後に撮影指示を行うのでユーザは、撮影指示前に好適な撮影アングルをとることができ、良好な画像を得ることができる。
【００２３】
また、請求項８に記載の発明では、被写体を静止画撮影又は動画撮影してその画像データを生成し、該画像データを保存メモリに記録する撮像装置の撮影切替方法において、電源投入後、直ちに撮影待ち受け状態に移行して撮影待ち受け画面を表示し、撮影待ち受け状態において、静止画撮影準備指示を検出すると静止画撮影待ち受け状態に移行して静止画向きの表示情報を撮影待ち受け画面に重畳表示すると共に静止画用の撮影状態の最適化を行ない、静止画用の撮影状態の最適化後に静止画撮影指示を検出すると静止画撮影を行ない、撮影待ち受け状態において、動画撮影準備指示を検出すると動画撮影待ち受け状態に移行して動画向きの表示情報を撮影待ち受け画面に重畳表示すると共に、動画用の撮影状態の最適化を行ない、動画用の撮影状態の最適化後に動画撮影開始指示を検出すると動画撮影を開始する、ことを特徴とする撮影切替方法を提供する。  
これにより、電源投入後、静止画撮影モードや動画撮影モードへの切替え操作無しに撮影待ち受け状態に移行し、更に、撮影準備指示操作又は動画撮影開始指示操作だけでシームレスに、静止画向きの表示情報を表示した撮影待ち受け状態又は動画向きの表示情報を表示した撮影待ち受け状態への切替えを行うことができるので、ユーザは静止画を撮りたいときは静止画向きの表示情報を見て静止画撮影を行うことができるし、動画を撮りたいときは動画向きの表示情報を見ることができる。また、撮影待ち受け状態の切替えと同時に静止画用または動画用に撮影状態の最適化を行い、最適化の後に撮影指示を行うのでユーザは、撮影指示前に好適な撮影アングルをとることができ、良好な画像を得ることができる。
【００２４】
また、請求項９に記載の発明では、被写体を静止画撮影又は動画撮影してその画像データを生成し、該画像データを保存メモリに記録する撮像装置の撮影切替方法において、電源投入後、直ちに撮影待ち受け状態に移行して撮影待ち受け画面を表示し、撮影待ち受け状態において、静止画用表示切替指示を検出すると静止画撮影待ち受け状態に移行して静止画向きの表示情報を撮影待ち受け画面に重畳表示し、静止画撮影準備指示を検出すると静止画用の撮影状態の最適化を行ない、静止画用の撮影状態の最適化後に静止画撮影指示を検出すると静止画撮影を行ない、撮影待ち受け状態において、動画用表示切替指示を検出すると動画撮影待ち受け状態に移行して動画向きの表示情報を撮影待ち受け画面に重畳表示し、動画撮影準備指示を検出すると動画用の撮影状態の最適化を行ない、動画用の撮影状態の最適化後に動画撮影開始指示を検出すると動画撮影を開始する、ことを特徴とする撮影切替方法を提供する。  
これにより、電源投入後、静止画撮影モードや動画撮影モードへの切替え操作無しに撮影待ち受け状態に移行し、表示切り替え操作により、シームレスに静止画向きの表示情報を表示した撮影待ち受け状態又は動画向きの表示情報を表示した撮影待ち受け状態への切替えを行うことができるので、ユーザは静止画を撮りたいときは静止画向きの表示情報を見て静止画撮影を行うことができるし、動画を撮りたいときは動画向きの表示情報を見ることができる。また、静止画撮影準備指示又は動画撮影開始指示と同時に静止画用または動画用に撮影状態の最適化を行い、最適化の後に撮影指示を行うのでユーザは、撮影指示前に好適な撮影アングルをとることができ、良好な画像を得ることができる。
【００２５】
また、請求項１０に記載の発明では、静止画撮影準備指示はシャッターキーの半押しをトリガとし、静止画撮影指示はシャッターキーの全押しをトリガとし、動画撮影準備指示はムービーシャッターキーの半押しをトリガとし、動画撮開始指示はムービーシャッターキーの全押しをトリガとする、ことを特徴とする請求項７乃至９のいずれか１項に記載の撮影切替方法を提供する。  
これにより、ユーザは従来のように撮影モードの切り替えを行わなくてもシームレスに切り替えることができシャッターキーやムービーシャッターキーの押し下げ操作だけで静止画撮影又は動画撮影に切り替えることができるので操作性がよい。
【００２６】
また、請求項１１に記載の発明では、電源投入後の撮影待ち受け状態において、静止画及び動画に共通な表示情報を表示することを特徴とする請求項７乃至９記載のいずれか１項に記載の撮影切替方法を提供する。  
これにより、ユーザは静止画及び動画に共通な表示情報を見てから静止画撮影又は動画撮影への切り替え操作を行うことができるので、使い勝手がよい。
【００２７】
また、請求項１２に記載の発明では、被写体を静止画撮影又は動画撮影してその画像データを生成し、該画像データを保存メモリに記録する撮像装置において実行可能なプログラムであって、電源投入後、直ちに撮影待ち受け画面を表示させるプログラムステップと、被写体像を取り込んで生成された画像データからスルー画像データを生成させるプログラムステップと、生成されたスルー画像を撮影待ち受け画面に表示させるプログラムステップと、スルー画像を表示した撮影待ち受け画面の表示中になされる静止画撮影準備指示を検出させるプログラムステップと、静止画撮影準備指示が検出されると静止画用の撮影状態の最適化を行なわせるプログラムステップと、静止画撮影状態の最適化後に静止画撮影指示を検出させるプログラムステップと、静止画撮影指示を検出すると静止画撮影を行わせるプログラムステップと、スルー画像を表示した撮影待ち受け画面の表示中になされる動画撮影準備指示を検出させるプログラムステップと、画撮影準備指示が検出されると動画用の撮影状態の最適化を行なわせるプログラムステップと、動画撮影状態の最適化後に動画撮影開始指示を検出させるプログラムステップと、動画撮影指示を検出すると動画撮影を開始させるプログラムステップと、を備えたことを特徴とするプログラムを提供する。  
これにより、電源投入後直ちに撮影待ち受け状態に移行し、静止画撮影又は動画撮影にシームレスに撮影切替えを行うように撮像装置を動作させることができる。
【００２８】
また、請求項１３に記載の発明では、被写体を静止画撮影又は動画撮影してその画像データを生成し、該画像データを保存メモリに記録する撮像装置において実行可能なプログラムであって、電源投入後、直ちに撮影待ち受け画面を表示させるプログラムステップと、被写体像を取り込んで生成された画像データからスルー画像データを生成させるプログラムステップと、生成されたスルー画像を撮影待ち受け画面に表示させるプログラムステップと、スルー画像を表示した撮影待ち受け画面の表示中になされる静止画撮影準備指示を検出させるプログラムステップと、静止画撮影準備指示が検出されると静止画向きの表示情報をスルー画像を表示した撮影待ち受け画面に重畳表示させるプログラムステップ及び静止画用の撮影状態の最適化を行なわせるプログラムステップと、静止画撮影状態の最適化後に静止画撮影指示を検出させるプログラムステップと、静止画撮影指示を検出すると静止画撮影を行わせるプログラムステップと、スルー画像を表示した撮影待ち受け画面の表示中になされる動画撮影準備指示を検出させるプログラムステップと、動画撮影準備指示が検出されると動画向きの表示情報をスルー画像に重畳表示させるプログラムステップ及び動画用の撮影状態の最適化を行なわせるプログラムステップと、動画撮影状態の最適化後に動画撮影開始指示を検出させるプログラムステップと、動画撮影指示を検出すると動画撮影を開始させるプログラムステップと、を備えたことを特徴とするプログラムを提供する。  
これにより、電源投入後、静止画撮影モードや動画撮影モードへの切替え操作無しに撮影待ち受け状態に移行し、更に、撮影準備指示操作又は動画撮影開始指示操作だけでシームレスに、静止画向きの表示情報を表示した撮影待ち受け状態又は動画向きの表示情報を表示した撮影待ち受け状態への切替えを行うように撮像装置を動作させることができる。
【００２９】
また、請求項１４に記載の発明では、被写体を静止画撮影又は動画撮影してその画像データを生成し、該画像データを保存メモリに記録する撮像装置において実行可能なプログラムであって、電源投入後、直ちに撮影待ち受け画面を表示させるプログラムステップと、被写体像を取り込んで生成された画像データからスルー画像データを生成させるプログラムステップと、生成されたスルー画像を撮影待ち受け画面に表示させるプログラムステップと、スルー画像を表示した撮影待ち受け画面の表示中になされる静止画用表示切替え指示を検出するプログラムステップと、静止画用表示切替指示が検出されると静止画向きの表示情報をスルー画像を表示した撮影待ち受け画面に重畳表示させるプログラムステップと、更に、静止画撮影準備指示を検出するプログラムステップと、静止画撮影準備指示が検出されると静止画用の撮影状態の最適化を行なわせるプログラムステップと、静止画撮影指示を検出するプログラムステップと、静止画撮影状態の最適化後に静止画撮影指示が検出されると静止画撮影を行なわせるプログラムステップと、スルー画像を表示した撮影待ち受け画面の表示中になされる動画用表示切替え指示を検出するプログラムステップと、動画用表示切替指示がなされると動画向きの表示情報をスルー画像を表示した撮影待ち受け画面に重畳表示させるプログラムステップと、更に、動画撮影準備指示を検出するプログラムステップと、動画撮影準備指示が検出されると静止画用の撮影状態の最適化を行なわせるプログラムステップと、動画撮影状態の最適化後に動画撮影開始指示を検出させるプログラムステップと、動画撮影指示を検出すると動画撮影を開始させるプログラムステップと、を備えたことを特徴とするプログラムを提供する。  
これにより、電源投入後、静止画撮影モードや動画撮影モードへの切替え操作無しに撮影待ち受け状態に移行させ、更に、表示切り替え操作により、シームレスに静止画向きの表示情報を表示した撮影待ち受け状態又は動画向きの表示情報を表示した撮影待ち受け状態への切替えを行わせるように撮像装置を動作させることができる。
【発明の効果】
【００３０】
本発明によれば、静止画撮影準備指示（例えば、シャッターキーの半押）で静止画及び動画共通の待ち受け画面から静止画優先となって静止画の撮影待ち受け状態に移行し、動画撮影準備指示（例えば、ムービーシャッターの半押し）で動画優先となって動画の撮影待ち受け状態に移行するので、撮影モード切り替え用のキー操作なしに静止画撮影と動画撮影の切替えをシームレスに行うことができる。また、最適化後に静止画撮影準備指示又は動画撮影開始指示を行うので、ユーザは好適な撮影アングルをとることが可能となる。
【発明を実施するための最良の形態】
【００３１】
（実施形態１）  
本実施形態では、撮像装置は、ハーフシャッター機能を有するシャッターキーとハーフムービーシャッター機能（後述）を有するムービーシャッターキーとを備え、シャッターキー半押しで静止画優先の撮影待ち受け状態となってＡＦ／ＡＥ／ＷＢ等の最適化を行い、シャッターキーの全押しで静止画撮影を行い、ムービーシャッターキーの半押しで動画優先の撮影待ち受け状態となってＡＦ／ＡＥ／ＷＢ等の最適化を行い、ムービーシャッターキーの全押しで動画撮影を開始し、再度、ムービーシャッターキーを全押しすると動画撮影を終了することにより、静止画撮影モード、動画撮影モードといったモード切り替えなしに静止画撮影／動画撮影の切替えをシームレスに行うと共に好適な撮影アングルをとり得る撮影切替え方法等について説明する。
【００３２】
図１は、静止画撮影機能及び動画撮影機能を備えたデジタルカメラの一実施例の外観を示す図であり、デジタルカメラ１００は正面側（図１（ａ））に撮像レンズ１１１、光学ファインダ１１２及び測光センサ１１３を有している。また、デジタルカメラ１００の背面（図１（ｂ））には液晶モニタ画面４１、光学ファインダ１１２、モードの切替えを行なうモード切替えスイッチ３１、液晶モニタスイッチ３２、メニューキー３４、カーソルキー３５、ムービーシャッターキー３８、表示切替え用のＤＩＳＰボタン３９等のスイッチ及びキーが設けられている。また、上面（図１（ｃ））にはズームレバー３３、シャッターキー３６、ストロボ設定キー３７、及び電源ボタン９１が設けられ、側部にはパーソナルコンピュータ（以下、パソコン）やモデム等の外部装置とＵＳＢケーブルを接続する場合に用いるＵＳＢ端子接続部９５が設けられている。なお、更に、正面等に赤外線通信やブルートゥース等の近接通信用の光送受口や無線通信用アンテナ、ＧＰＳ受信アンテナを設けるようにしてもよい。
【００３３】
図２は、図１に示したデジタルカメラの内部構成例を示すブロック図である。図２で、デジタルカメラ１００は、光学系１１、信号変換部１２、信号処理部１３、ＤＲＡＭ１４、制御部２０、操作部３０、表示部４０、フラッシュメモリ５０、及び電源９０を有している。光学系１１、信号変換部１２、信号処理部１３は被写体像を取り込んで画像データを生成する撮像手段に相当する。
【００３４】
光学系１１は、撮像レンズ１１１、測光センサ１１３、ズーム機構１１４、自動合焦（ＡＦ）機構１１５及び自動絞り機構１１６や自動露出（ＡＥ）機構１１７等を含み、撮像レンズ１１１を介して集光された被写体像の光束を後段の撮像素子（ＣＣＤ）上に結像させる。
【００３５】
信号変換部１２は、Ａ／Ｄ変換器等の信号変換回路等を含み、また、前段の光学系１１を介して結像した画像をＣＣＤによって電気信号に変換し、その電気信号をデジタルデータに変換して一定の周期で出力する。
【００３６】
信号処理部１３は、静止画撮像モード時には信号変換部１２からの出力を処理して、デジタルの輝度、色差マルチプレクス信号（Ｙ，Ｃｂ，Ｃｒデータ）等の信号成分を得て、Ｙ，Ｃｂ，Ｃｒデータ（以下、画像データ）をＤＲＡＭ１４に転送し、ＤＲＡＭ１４の静止画バッファ領域に記憶する。また、スルー画像を表示するために、ＤＲＡＭ１４に取込んだ画像データを間引いて表示部４０に送る。シャッターキー３６が全押しされるとその時点の画像データを表示部４０に送って静止画表示させる。
【００３７】
また、動画撮像モード時には信号変換部１２からの出力を処理して、デジタルの輝度、色差マルチプレクス信号（Ｙ，Ｃｂ，Ｃｒデータ）等の信号成分を得て、Ｙ，Ｃｂ，Ｃｒデータ（以下、画像データ）を所定の動画ファイルサイズ（例えば、約２００ＫＢ／秒）に変換させて動画像データとしてＤＲＡＭ１４に転送し、ＤＲＡＭ１４の動画像バッファ領域に順次記憶する。また、動画記録前に確認用動画像を表示するように構成した場合（変形例３参照）は、ＤＲＡＭ１４に取込んだ動画像データを表示部４０に送る。
【００３８】
なお、上記静止画像データをＤＲＡＭ１４の静止画バッファ領域に記憶し、動画像データを動画像バッファ領域に記憶するようにしたが、静止画像データと動画像データを記憶するバッファ領域を別々にせず静止画像データと動画像データに共通なバッファ領域に記憶するようにしてもよい。
【００３９】
また、信号処理部１３は、記録保存の際にＤＲＡＭ１４に書込まれている画像データを読み出して、圧縮処理を施し、再生時にフラッシュメモリ（保存メモリ）５０に保存記録されていた圧縮画像データに伸張処理を施して画像データを再生する圧縮伸張部を備えている。また、圧縮画像データを高速で伸張する高速伸張部を備えるように構成してもよい。なお、画像データの圧縮／伸張方式としては、例えば、静止画データではＪＰＥＧ（Joint Photographic Expert Group）方式、動画データではＭＰＥＧ（Moving Picture Expert Group）或いはＡＶＩ（Audio Video Interleaved）方式を用いることができるが、これらに限定されない。
【００４０】
ＤＲＡＭ１４は作業用メモリとして用いられ、撮像された静止画像を一時的に記憶する画像バッファ領域や所定時間分の動画像を一時的に記憶する動画像バッファ領域や画像の圧縮／伸張時や画像合成時の作業用領域等が確保されている。実施例において、動画像バッファ領域には、例えば、動画ファイルサイズを約２００ＫＢ／秒とした場合、３０秒間分の動画像データを記憶することができる。つまり、この場合、１セットに（＝１度に）撮影可能な最長時間は３０秒となる。なお、撮影可能な最長時間は３０秒に限定されるものではない。
【００４１】
制御部２０はＣＰＵ、ＲＡＭ、プログラム格納用ＲＯＭおよびタイマ等の計時機構を有したマイクロプロセッサ構成を有しており、ＣＰＵは、上述の各回路および図示しない電源切替えスイッチ等にバスラインを介して接続し、プログラム格納用ＲＯＭに格納されている制御プログラムによりデジタルカメラ１００全体の制御を行なうと共に、操作部３０からの状態信号に対応してプログラム格納用ＲＯＭに格納されている各モードに対応の処理プログラムを取り出して、デジタルカメラ１００の各機能の実行制御を行う。また、撮影切替え時の動作プログラムに基づく制御により、主電源が投入されると撮影モードに移行して図８（ａ）に示すような静止画及び動画に共通な撮影待ち受け画面にスルー画像を表示し、シャッターキー３６が半押しされると自動合焦、自動絞り、及び自動露出等を含む撮影状態の最適化を開始させ、最適化後シャッターキー３６が全押しされると静止画撮影を行わせる。また、ムービーシャッターキー３８が半押しされると、コンティニアスＡＦによる連続自動合焦や自動絞り、及び自動露出等を含む撮影状態の最適化を開始し、ムービーシャッターキー３８が全押しされると動画撮影が開始され、再びムービーシャッターキー３８が全押しされると動画撮影を終了する。
【００４２】
操作部３０はモード切替えスイッチ３１、液晶モニタスイッチ３２、ズームキー３３、メニューキー３４、カーソルキー３５、シャッターキー３６、及びストロボ設定キー３７、後述するようにシャーターキー３６と同様な２段スイッチ構造のムービーシャッターキー３８、ＤＩＳＰボタン３９等のボタンやスイッチを構成部分としており、これらのキーやボタン或いはスイッチが操作されると操作状態に対応した信号や設定値が制御部２０に送出される。
【００４３】
表示部４０はビデオエンコーダ、ＶＲＡＭ（図示せず）および液晶モニタ画面（ＬＣＤ）４１等から構成されており、制御部２０の表示制御により、撮像時のスルー画像、及び再生時の再生画像、処理選択時の選択用メニュー（或いはアイコン）の表示等を行なう。
【００４４】
フラッシュメモリ５０は画像データ（圧縮画像データ）を記録する。また、画像の撮影モードや撮影日時や画像識別情報を含む画像情報を記録することができる。また、フラッシュメモリ５０に代えてメモリカードのように着脱可能な記憶媒体を用いるようにしてもよい。
【００４５】
測光センサ１１３はデジタルカメラ１００の周辺光量を計測して制御部２０に計測値を送る。ズーム機構１１４はユーザによるズームレバー３３のスライド操作に基づいて焦点距離を望遠又は広角側に変化させる。自動合焦機構１１５は、制御部２０の制御下でいわゆるＡＦ（オートフォーカス）による合焦のためのレンズの移動等を行う。自動絞り機構１１６は測光センサ１１３によって計測された周辺光量を基に制御部２０の制御下で決定される絞り値に従って絞りを行う。自動露出機構１１７は測光センサ１１３によって計測された周辺光量を基に制御部２０の制御下で決定される露出値（ＣＣＤに取り入れる光量）に従ってシャッタースピードを決定する。
【００４６】
なお、自動合焦機構１１５は、制御部２０の制御下で、静止画撮影時にはシャッターキー３６が半押しされることでＡＦ動作を開始し、動画撮影時にはムービーシャッターキーボタン３８が半押しされるとコンティニアスＡＦによる追従を開始する。また、前述したように、絞り値は静止画撮影に適した値と動画撮影に適した値があるので、制御部２０は、静止画撮影モード時には絞り値を静止画撮影に適したように決定し、動画撮影モード時には絞り値を動画撮影に適したように決定する。従って、自動絞り機構１１６による絞りは静止画撮影時と動画撮影時では異なる。
【００４７】
図３はムービーシャッターキーの構造の概要説明図であり、ムービーシャッターキー３８はバネ３８１と可動接点３８２、３８３を備えた２段スイッチ構造をなし、ボタン３８を半押し（ハーフムービー）すると可動接点３８２が入力回路３０１側の接点３０２（第１の位置）と接触して電流が導通し、全押しすると接点３８２が押し込まれて入力回路側の接点３０３（第２の位置）と接触し電流が導通し続ける。再度ボタン３８を全押しすると、バネ３８１により可動接点３８２が入力回路３０１側の接点３０２から離れ、電流が遮断される。
【００４８】
入力回路は上記電流の導通、遮断による電圧変動があると、オン／オフ信号を制御部２０に送出する。これにより、ムービーシャッターキー３８の半押しによるオン信号を受け取ると制御部２０は動画撮影準備指示があったものと判定し、全押しによるオン信号を受け取ると動画撮影開始指示が合ったものと判定し、再度の全押しによるオフ信号を受け取ると動画撮影停止指示があったものと判定する。
【００４９】
図４は、撮影待ち受け状態における静止画／動画の撮影切替え方法の一実施例の説明図であり、本実施形態において、デジタルカメラ１００は、電源投入後、直ちに静止画及び動画に共通の撮影待ち受け状態からなる撮影（ＲＥＣ）モードに移行する（ブロックＡ）。ブロックＡの撮影モードでユーザがシャッターキー３６を半押ししたあと全押しすることにより静止画撮影（ブロックＢ）に移行し、ユーザがムービーシャッターキー３８を半押ししてから全押しすることにより動画撮影（ブロックＣ）に移行する。また、静止画撮影終了後動画撮影に移行したり、動画撮影終了後静止画撮影に移行したりすることもできる。
【００５０】
また、ブロックＡの撮影モードでユーザがモード切替えスイッチ３１を操作することにより、再生モード（ブロックＤ）や撮影設定等の設定モード（ブロックＦ）等へ移行することができる。なお、再生モードにおける各種設定モード（ブロックＥ）への移行等は表示されるメニュー選択により行うことができる。
【００５１】
図５は、本発明に基づく撮影モード切替え時及び撮影時のデジタルカメラ１００の動作例を示すフローチャートであり、ステップＳ１〜Ｓ４、ステップＳ９、Ｓ１０は撮影切替え時の動作プログラムに基づく制御部２０の撮影切替え制御による動作に相当する。
【００５２】
図５で、ユーザが電源ボタン９１を押して主電源をオンにすると、撮影切替え時の動作プログラムが起動され、制御部２０は図８（ａ）に示すような静止画及び動画に共通な表示情報を表示した撮影待ち受け画面を表示部４０に表示する（ステップＳ１）。
【００５３】
制御部２０は、光学系１１、信号変換部１２、及び信号処理部１３を制御して取り込んだ被写体像の画像データをＤＲＡＭ１４に送り、静止画像バッファ領域に一時記憶させると共に取り込んだ画像データをスルー画像用に間引き処理して表示部４０へ送り、スルー画像を撮影待ち受け画面に重畳表示させる（図８（ａ））の待ち受け画面２１０参照）（ステップＳ２）。
【００５４】
また、制御部２０は操作部３０からの状態信号を調べ、ユーザがシャッターキー３６を半押しした場合にはステップＳ４に進み、ムービーシャッターキー３８を押した場合にはステップＳ９に進み、モード切替えスイッチ３１が操作された場合は選択されたモードに移行する（ステップＳ３）。
【００５５】
シャッターキー３６が半押しされると、制御部２０は、自動合焦機構１１５、自動絞り機構１１６、自動露出機構１１７等の光学系機構を制御して静止画撮影用の撮影状態の最適化を行う。つまり、自動合焦機構１１５によるピント合わせ、自動絞り機構１１６による絞り、自動露出機構１１７によるＣＣＤへの取り入れ光量及びシャッタースピード等を静止画撮影用に最適化する。この間、シャッターキー３６をロックする（ステップＳ４）。
【００５６】
撮影状態の最適化が終わると、制御部２０はシャッターキー３６のロックを解除し、シャッターキー３６が全押しされたか否かを調べ、全押しされた場合には静止画撮影指示があったものとしてステップＳ６に進む（ステップＳ５）。
【００５７】
上記ステップＳ５でシャッターキー３６が全押しされると、制御部２０はＤＲＡＭ１４の静止画像バッファ領域に保持されている静止画像データを取り出して表示部４０に送り静止画表示させる（ステップＳ６）。
【００５８】
次に、制御部２０は操作部３０からの信号を調べて画像記録モードに切替えられたか否かを調べ、画像記録モードに切替えられた場合はステップＳ８に進み、そうでない場合はステップＳ１５に進む（ステップＳ７）。
【００５９】
画像記録モードに切替えられた場合は、ＤＲＡＭ１４の静止画像バッファ領域に保持されている静止画像データに圧縮処理を施させてフラッシュメモリ５０に記録させる。この際、各画像は画像情報と関連付けられて記録される（ステップＳ８）。
【００６０】
また、上記ステップＳ３でムービーシャッターキー３８が押された場合は、制御部２０は、自動合焦機構１１５、自動絞り機構１１６、自動露出機構１１７等の光学系機構を制御して、コンティニアスＡＦによる連続自動合焦や自動絞り、自動露出等の撮影状態の最適化を開始させる。最適化を行っている間はムービーシャッターキー３８をロックする（ステップＳ９）。
【００６１】
撮影状態の最適化が終わると、制御部２０はムービーシャッターキー３８のロックを解除し、ムービーシャッターキー３８が全押しされたか否かを調べ、全押しされた場合には動画撮影開始指示があったものとしてステップＳ１１に進む（ステップＳ１０）。
【００６２】
制御部２０は、光学系１１、信号変換部１２、及び信号処理部１３を制御して所定時間間隔で連続して被写体像を間引いて動画像データとしてＤＲＡＭ１４に送り、動画像バッファ領域に順次追加記憶させる。また、動画像データを表示部４０に送って図８に示すようにスルー画像表示させる（ステップＳ１１）。
【００６３】
次に、制御部２０は１セット分の最長撮影可能時間（実施例では１セットあたり３０秒）を経過したか否かを調べ、経過した場合はステップＳ１４に進み（ステップＳ１２）、１セット分の最長撮影可能時間を経過していない場合は、更にムービーシャッターキー３８が押されたか否かを調べ、押された場合は動画撮影ストップ指示があったものとしてステップＳ１３に遷移し、そうでない場合はステップＳ１１に戻る（ステップＳ１３）。
【００６４】
１セット当たりの最長撮影可能時間を経過した場合又はムービーシャッターキー３８が再度押された場合は、ＤＲＡＭ１４の動画像バッファ領域に保持されている複数の動画像データに順次圧縮処理を施させフラッシュメモリ５０に順次記録させる（ステップＳ１４）。
【００６５】
制御部２０は、ＤＲＡＭ１４の静止画像バッファ領域及び動画像バッファ領域をクリアすると共に、操作部３０からの状態信号を調べ、ユーザがモード切替えスイッチ３１等の操作による他のモードへの切替えや終了操作を行った場合は撮影モードを終了し、そうでない場合はステップＳ２の撮影待ち受け状態に戻る（ステップＳ１５）。
【００６６】
上記図４の説明図及び図５のフローチャートに基づく動作により、電源投入後、静止画撮影モードや動画撮影モードへの切替え操作無しに撮影待ち受け状態に移行し、シャッターキー３６又はムービーシャッターキー３８の操作だけでシームレスに静止画撮影と動画撮影の切替えができる。
【００６７】
つまり、シャッターキー３６又はムービーシャッターキー３８を半押しするだけでモードを選択しなくても撮りたい撮影モードに瞬時に移行し、シャッターキー３６又はムービーシャッターキー３８の全押しで撮影を行うことができるので操作性がよい。
【００６８】
また、ムービーシャッターキー３８を半押しする撮影状態の最適化を行い、ムービーシャッターキー３８を全押しすると動画撮影を開始するので、最適化期間と動画開始期間をユーザが区別しやすく、ムービーシャッターキー３８がロックされている最適化期間〜ムービーシャッターキー３８による動画撮影開始までの間に、カメラアングルを選んで動画撮影に好適な撮影アングルで動画撮影を開始できる。また、撮影切替えの際、撮影状態を撮影モードに応じて最適化するので、良好な画像を得ることができる。また、撮影状態の最適化をユーザに意識させることなく行うことができる。
【００６９】
なお、上記ステップＳ４では静止画撮影状態の最適化を自動的に行うようにし、ステップＳ９では動画撮影状態の最適化を自動的に行うようにしたが、上記ステップＳ１又はステップＳ２の撮影待ち受け状態で、絞り値や露出値、シャッタースピード等の撮影条件をマニュアルで設定可能とし、上記ステップＳ４及び／又はステップＳ９では設定値に基づいた撮影状態を最適なものと見なすように構成してもよい。このようにした場合は被写体の状態や周囲の環境に応じて、例えば、ボケ味のついた画像等を得ることもできる。
【００７０】
（実施形態２）
上記実施形態１では、電源投入後の撮影待ち受け状態を静止画撮影／動画撮影共通の撮影待ち受け状態として、静止画／動画共通の表示情報を表示した撮影待ち受け画面にスルー画像を重畳表示し、静止画撮影指示（シャッターキー３６の全押し）があると静止画撮影に切替え、動画撮影開始指示（ムービーシャッターキー３８の全押し）があると動画撮影に切替えるようにした（図５のステップＳ１参照）が、前述したように、厳密には表示情報は静止画撮影を行う場合と動画撮影を行う場合では異なっている。
【００７１】
しかし、上記実施形態１では最初の撮影待ち受け状態は静止画／動画共通であるため静止画撮影されるか動画撮影されるかが分からない。従って、静止画用か動画用かどちらの表示情報を表示してよいか分からない。
【００７２】
本実施形態では、予め撮影待ち受け状態を静止画撮影用とするか動画撮影用とするか（つまり、どちらを優先させるか）を指定できるようにし、更に、撮影状態を撮影モードに応じた最適状態とする。なお、以下の説明は実施形態１のデジタルカメラ１００、つまり、図１及び図２で示したデジタルカメラ１００を例として説明する。
【００７３】
図６は、撮影待ち受け状態におけるスルー画像表示及び静止画／動画の撮影切替え方法の一実施例の説明図であり、本実施形態において、デジタルカメラ１００は、電源投入後、直ちに撮影（ＲＥＣ）モードに移行する（ブロックＡ）。
【００７４】
ブロックＡは、更に静止画／動画共通の表示情報を表示する撮影待ち受け状態（ブロックＡ−１）と、静止画撮影向きの詳細情報を表示する静止画撮影待ち受け状態（ブロックＡ−２）と、動画撮影向きの簡素な表示情報を表示する動画撮影待ち受け状態（ブロックＡ−３）とからなり、電源投入後は直ちにブロックＡ−１の撮影待ち受け状態に移行して静止画／動画共通の表示情報をスルー画像に重畳表示する。
【００７５】
このとき、ユーザがシャッターキー３６を半押しするとブロックＡ−２の撮影待ち受け状態に移行して静止画撮影向きの詳細情報をスルー画像に重畳表示する。更に、ユーザがシャッターキー３６を全押しすることにより静止画撮影（ブロックＢ）に移行する。
【００７６】
また、ブロックＡ−１の撮影待ち受け状態において、ユーザがムービーシャッターキー３８を半押しするとブロックＡ−３の撮影待ち受け状態に移行して動画撮影向きの簡素な情報をスルー画像に重畳表示し、最適化後、ムービーシャッターキー３８を全押しすると動画撮影（ブロックＣ）に移行する。
【００７７】
なお、図２と同様、ブロックＡの撮影モードでユーザがモード切替えスイッチ３１を操作することにより、再生モードや撮影設定等の設定モード（図示せず）等へ移行することができる。同様に、再生モードにおける各種設定モードへの移行等は表示されるメニュー選択により行うことができる。
【００７８】
図７は、撮影待ち受け状態における静止画／動画の撮影切替え時及び撮影時のデジタルカメラの動作例を示すフローチャートであり、図５のフローチャートのステップＳ３を下記ステップＳ３−１〜ステップＳ３〜３に代えたものである。つまり、図７のフローチャートのステップＳ２までとステップＳ４以降の動作（図示省略）は図４に示したフローチャートの各ステップの動作と同様である。
【００７９】
図７で、ユーザが電源ボタン９１を押して主電源をオンにすると、撮影切替え時の動作プログラムが起動され、制御部２０は図８（ａ）に示すような静止画／動画に共通な表示情報を表示した撮影待ち受け画面を表示部４０に表示する（ステップＳ１）。
【００８０】
制御部２０は、光学系１１、信号変換部１２、及び信号処理部１３を制御して取り込んだ被写体像の画像データをＤＲＡＭ１４に送り、静止画像バッファ領域に一時記憶させると共に取り込んだ画像データをスルー画像用に間引き処理して表示部４０へ送り、スルー画像を撮影待ち受け画面に重畳表示させ、ステップＳ３−１に進む（ステップＳ２）。
【００８１】
次に、制御部２０は操作部３０からの信号を調べ、シャッターキー３６が半押しされた場合はステップＳ３−２に進み、ムービーシャッターキー３８が半押しされた場合はステップＳ３−３に進み、モード切替えスイッチ３１が操作された場合は切替えられたモードに移行する（ステップＳ３−１）。
【００８２】
上記ステップＳ３−１でシャッターキー３６が半押しされた場合は、制御部２０は図８（ｂ）に示すような静止画用の詳細な表示情報を表示部４０に送ってスルー画像に重畳表示させ（図８（ｂ）の撮影待ち受け画面２２０参照）、ステップＳ４の静止画用の撮影状態の最適化処理に進む（ステップＳ３−２）。
【００８３】
上記ステップＳ３−１でムービーシャッターキー３８が半押しされた場合は、制御部２０は図８（ｃ）に示すような動画用の簡素な表示情報を表示部４０に送ってスルー画像に重畳表示させ（図８（ｃ）の撮影待ち受け画面２３０参照）、ステップＳ９に進む（ステップＳ３−３）。
【００８４】
上記図６の説明図及び図７のフローチャートに基づく動作により、電源投入後、静止画撮影モードや動画撮影モードへの切替え操作無しに撮影待ち受け状態に移行し、更に、シャッターキー３６又はムービーシャッターキー３８の操作だけでシームレスに静止画向きの表示情報を表示した撮影待ち受け状態又は動画向きの表示情報を表示した撮影待ち受け状態への切替えを行うことができるので、ユーザは静止画を撮りたいときは静止画向きの表示情報を見て静止画撮影を行うことができるし、動画を撮りたいときは動画向きの表示情報を見ることができる。
【００８５】
また、ムービーシャッターキー３８を半押しすると撮影状態の最適化を行い、ムービーシャッターキー３８を全押しすると動画撮影を開始するので、最適化期間と動画開始期間をユーザが区別しやすく、ムービーシャッターキー３８がロックされている最適化期間〜ムービーシャッターキー３８による動画撮影開始までの間に、カメラアングルを選んで動画撮影に好適な撮影アングルで動画撮影を開始できる。
【００８６】
また、撮影待ち受け状態の切替えと同時に静止画用または動画用に撮影状態の最適化を行うので、良好な静止画又は動画を得ることができる。また、撮影状態の最適化をユーザに意識させることなく行うことができる。
【００８７】
図８はスルー画像が重畳表示される撮影待ち受け画面の一実施例を示す図であり、図８（ａ）は静止画／動画共通の表示情報を表示した撮影待ち受け画面の例、図８（ｂ）は静止画向きの表示情報を表示した撮影待ち受け画面の例、図８（ｃ）は動画向きの表示情報を表示した撮影待ち受け画面の例を示す。
【００８８】
また、図８で、符号２１１はスルー画像、符号２１３はホワイトバランスを意味するアイコン、例えば、図示のように太陽光を意味するアイコン、日陰を意味するアイコン、電球を意味するアイコン、蛍光灯を意味するアイコン、マニュアルバランスを意味するアイコン等を示す。なお、アイコン無表示はオート（自動）バランスを意味する。
【００８９】
また、符号２１４はセルフタイマーを意味するアイコンを示し、符号２１５は撮影モードを意味するアイコン、例えば、図示のように、静止画／動画共通を意味するアイコン、静止画を意味するアイコン、動画を意味するアイコン、ボイス録音を意味するアイコン、マニュアル露出を意味するアイコン、プログラムＡＥを意味するアイコン、シャッター速度優先ＡＥを意味するアイコン等を示す。
【００９０】
また、符号２１６は動画の撮影可能時間を示し、符号２１７は静止画の撮影可能枚数を示し、符号２１８は画像サイズを示し、符号２１９は画質を示し、符号２２１は記録メモリの種類を意味するアイコン、例えば、内蔵メモリへの記録を意味するアイコン、メモリカードへの記録を意味するアイコン等を示す。
【００９１】
また、符号２２２はヒストグラム表示を示し、符号２２３は日付／時刻を示し、符号２２４はズーム倍率を示し、符号２２５は電池残量を示し、符号２２６は露出補正表示を示す。
【００９２】
図８（ａ）で、静止画／動画共通の表示情報を表示した撮影待ち受け画面２１０は実施形態１、２で電源ボタン９１が押されると表示され（図５及び図７のステップＳ１）、図示のようにスルー画像２１１が表示される。また、撮影待ち受け画面２１０には、フラッシュモード２１２、動画撮影可能時間２１６、静止画撮影可能枚数２１７、記録メモリの種類２２１、ズーム倍率２２４、電池残量表示２２５等の静止画／動画に共通する表示情報が表示される。
【００９３】
また、図８（ｂ）で、静止画向きの表示情報を表示した撮影待ち受け画面２２０は実施形態２でシャッターキー３６が半押しされると表示され（図７のステップＳ３−１、Ｓ３−２）、図示のようにスルー画像２１１が表示される。また、撮影待ち受け画面２２０には前述した符号２１２〜符号２１５に示すような詳細な表示情報が表示される。
【００９４】
また、図８（ｃ）で、動画向きの表示情報を表示した撮影待ち受け画面２３０は、実施形態２でムービーシャッターキー３８が半押しされると表示され（図７のステップＳ３−１、Ｓ３−３）、図示のようにスルー画像２３１が表示される。また、撮影待ち受け画面２３０には、フラッシュモード２１２、撮影モード２１５、動画撮影可能時間２１６、静止画撮影可能枚数２１７、記録メモリの種類２２１、日付／時刻２２３、電池残量表示２２５等の簡素な表示情報が表示される。
【００９５】
＜変形例１＞  
図９は、本実施形態の撮影待ち受け状態におけるスルー画像表示及び静止画／動画の撮影切替え方法の他の一実施例の説明図であり、図６の説明図のブロックＡのうちでブロックＡ−１を節電用の表示消しブロックＡ−０に変更し、ＤＩＳＰボタン３９の押し下げによりブロックＡ−０→ブロックＡ−２→ブロックＡ−３→ブロックＡ−０と表示情報を遷移させるようにしたものである。
【００９６】
図１０は、撮影待ち受け状態における静止画／動画の撮影切替え時にＤＩＳＰボタン３９の押し下げにより表示情報を遷移させるように構成した場合の追加フローチャートであり、図５のフローチャートのステップＳ２とＳ３の間に、図示のように、表示切替指示を発するＤＩＳＰボタン３９の押し下げにより表示情報を遷移させるステップＳ２−２〜Ｓ２−８を追加したものである。つまり、図１０のフローチャートのステップＳ２までとステップＳ３以降の動作（図示省略）は図５に示したフローチャートの各ステップの動作と同様である。なお、本実施例では、図５のステップＳ２でスルー画像表示の際は表示情報無しのスルー画像が表示されるものとする。  
図１０で、図５のステップＳ２から移行すると、制御部２０は表示部４０に表示されている表示情報の種類を調べ、表示情報無しの場合はステップＳ２−３に進み、静止画向きの詳細な表示情報の場合はステップＳ２−５に進み、それ以外の場合は動画向きの簡素な表示情報ありとしてステップＳ２−７に進む（ステップＳ２−２）。
【００９７】
上記ステップＳ２−２で表示情報が表示されていない場合は、制御部２０は操作部３０からの信号を調べ、ＤＩＳＰボタン３９が押された場合はステップＳ２−４に進み（ステップＳ２−３）、静止画向きの詳細な表示情報を表示部４０に送ってスルー画像に重畳表示させ、ステップＳ３に進む（ステップＳ２−４）。
【００９８】
上記ステップＳ２−２で静止画向きの表示情報が表示されている場合は、制御部２０は操作部３０からの信号を調べ、ＤＩＳＰボタン３９が押された場合はステップＳ２−６に進み（ステップＳ２−５）、動画向きの簡素な表示情報を表示部４０に送ってスルー画像に重畳表示させ、ステップＳ３に進む（ステップＳ２−６）。
【００９９】
上記ステップＳ２−２で動画向きの表示情報が表示されている場合は、制御部２０は操作部３０からの信号を調べ、ＤＩＳＰボタン３９が押された場合はステップＳ２−８に進み（ステップＳ２−７）、表示情報をクリアし、ステップＳ２−２に戻る（ステップＳ２−８）。
【０１００】
上記構成により、ＤＩＳＰボタン３９（＝表示切替えキー）が押されるたびに表示情報無し→静止画向き表示情報→動画向き表示情報→表示情報無し、といったように撮影待ち受け画面の表示情報を循環的に変化させることができる。また、静止画向き表示情報が表示されている際に、シャッターキー３６が半押しされると（図５；ステップＳ３）、静止画用の撮影状態の最適化が行われ（図５；ステップＳ４）、動画向き表示情報が表示されている際に、ムービーシャッターキー３８が半押しされると（図５；ステップＳ３）、動画用の撮影状態の最適化が行われる（図５；ステップＳ９）。
【０１０１】
なお、上記図９、図１０の例では主電源がオンにされると、先ず、表示情報なしのスルー画像が表示されるが、これに限定されない。例えば、静止画向きの表示情報を先ず表示するようにしてもよいし、動画向きの表示情報を先ず表示するようにしてもよい。また、表示情報なしに代えて静止画／動画共通の表示情報を表示するようにしてもよい。また、１フレーム分の静止画像の撮影／記録を終了した際、又は１セットの動画像の撮影／記録を終了して、次の撮影を行うために撮影待機状態に戻る場合についても同様である。また、ＤＩＳＰボタン３９に代えてシャッターキー３６の半押し（又はムービーシャッターキー３８の半押し）を表示切替えのトリガとするようにしてもよい。
【０１０２】
以上、本発明の幾つかの実施例について説明したが本発明は上記各実施例に限定されるものではなく、種々の変形実施が可能であることはいうまでもない。例えば電子カメラや撮像装置という用語は、デジタルカメラの他、カメラ付き携帯電話や撮像部を有する情報機器などにも適用し得るものである。また、上記各実施例では静止画撮影と動画撮影とを切り替える場合について述べたが、撮影切替えはこれに限定されない、例えば、静止画撮影、連続撮影、動画撮影を共通の撮影待ち受け状態で切り替えるようにすることもできる。
【図面の簡単な説明】
【０１０３】
【図１】静止画撮影機能及び動画撮影機能を備えたデジタルカメラの一実施例の外観を示す図である。
【図２】図１に示したデジタルカメラの内部構成例を示すブロック図である。
【図３】ムービーシャッターキーの構造の一実施例を示す図である。
【図４】撮影待ち受け状態における静止画／動画の撮影切替え方法の一実施例の説明図である。
【図５】撮影待ち受け状態における静止画／動画の撮影切替え時及び撮影時のデジタルカメラの動作例を示すフローチャートである。
【図６】撮影待ち受け状態におけるスルー画像表示及び静止画／動画の撮影切替え方法の一実施例の説明図である。
【図７】撮影待ち受け状態における静止画／動画の撮影切替え時及び撮影時のデジタルカメラの動作例を示すフローチャートである。
【図８】スルー画像が重畳表示される撮影待ち受け画面の一実施例を示す図である。
【図９】撮影待ち受け状態におけるスルー画像表示及び静止画／動画の撮影切替え方法の一実施例の説明図である。
【図１０】撮影待ち受け状態における静止画／動画の撮影切替え時及び撮影時のデジタルカメラの動作例を示すフローチャートである。
【符号の説明】
【０１０４】
１１  光学系（撮像手段）
１２  信号変換部（撮像手段）
１３  信号処理部（撮像手段）
３６  シャッターキー（静止画撮影準備指示手段、静止画撮影指示手段）
３８  ムービーシャッターキー（動画撮影準備指示手段、動画撮影開始指示手段）
３９  ＤＩＳＰボタン（表示切替え手段）
４０  表示部（待ち受け画面表示手段）
５０  フラッシュメモリ（保存メモリ）
１００  デジタルカメラ（撮像装置）
１１４  ズーム機構（撮影状態最適化手段）
１１５  自動合焦機構（撮影状態最適化手段）
１１６  自動絞り機構（撮影状態最適化手段）
１１７  自動露出機構（撮影状態最適化手段）
２１１、２３１  スルー画像
２１２〜２２６  表示情報
【図１】
2005191837.tif 000003
【図２】
2005191837.tif 000004
【図３】
2005191837.tif 000005
【図４】
2005191837.tif 000006
【図５】
2005191837.tif 000007
【図６】
2005191837.tif 000008
【図７】
2005191837.tif 000009
【図８】
2005191837.tif 000010
【図９】
2005191837.tif 000011
【図１０】
2005191837.tif 000012